(57)【要約】      （修正有）【課題】腰部の所定の部位に困難さを伴うことなく自然に圧力が加えられることによって気を整え治癒力を高めるなど総合的に腰痛対策となるような使用感の良い腰痛用ベルトを提供する。【解決手段】腰部に装着するベルト類１において、装着時背部に該当する箇所Ａを袋状にし、その中にボール体２を収納する。その際のボール体２の数は３個、或いは６個など複数にする。ベルト類１もしくはボール体２は、少なくとも部分的に生体活性促進性材料で形成されている。またベルト類１の内側要所に生体活性促進性材料を出し入れできるポケット３を設け、両端には面状ファスナー４などの係止手段を配設する。【選択図】図１
0003211979.tif 000002
【実用新案登録請求の範囲】
【請求項１】
腰部に装着するベルト類において、装着時背部に該当する箇所を袋状にしてその中にボール体を収納して成ることを特徴とする腰痛用ベルト。
【請求項２】
ボール体の数が複数である請求項１記載の腰痛用ベルト。
【請求項３】
ベルト類もしくはボール体が生体活性促進性材料で形成されている請求項１〜２の何れか一項に記載の腰痛用ベルト。
【請求項４】
ベルト類の内側に生体活性促進性材料を収容できるポケットを設けた請求項１〜３の何れか一項に記載の腰痛用ベルト。
【請求項５】
ベルト類の両横端に該ベルトを係止装着するための係止手段を配設した請求項１〜４の何れか一項に記載の腰痛用ベルト。
【考案の詳細な説明】
【技術分野】
【０００１】この考案は、腰痛対策のために身体に装着もしくは相手方に装備する腰痛用ベルトに関する。
【背景技術】
【０００２】腰痛は多くの現代人が抱える悩みの要因となっており、その対策として様々な医療、医薬、鍼灸、矯正施術及びグッズなどがあることは周知の通りである。【０００３】それらの背景技術は甚だ多岐にわたるにしても、そもそも腰痛の起こる原因は、ほかの動物たちと同じように４本足で動いていた（前）人類が２本足で立って歩けるようになったためであるというのが通説であり、腰痛を訴える人の多くが腰椎４番５番付近の痛みを訴えているという現状を軽視することはできない。【０００４】その理由は、それまで４本の足に四散させて支えていた体の重みを２本で支えることになり、上体のほとんどが腰骨と骨盤にかかってきたのだからこれは大変な負担であって、その負担に耐えきれなくなった瞬間に現れるトラブルが腰痛であると言われており、またこの腰痛が筋肉を緊張させて血行を悪くし、乳酸などの疲労物質を蓄積させて、それが刺激となり痛みをさらに増幅させるという悪循環も起こるとされる。【０００５】さらに具体的には、体の決まった部分だけを長時間使ったり、同じ姿勢のまま長時間同じ作業を続けたりすることが多くなったことも大きな原因である。【０００６】その際、神経は運動神経と知覚神経戸に分類され、痛みの情報は知覚神経より伝達されるが、知覚神経は求心性ニューロンであるため、その情報が脳に伝達されるときには、遠位から近位へ伝達される仕組みとなっている。
【先行技術文献】
【特許文献】
【０００７】
【特許文献１】登録実用新案広報第３０２０２５０号
【考案の概要】
【考案が解決しようとする課題】
【０００８】上記特許文献１には、背景技術の問題点を解決するものとして、従来のように人為的に神経（ツボ）を指圧するのでなく、腰痛帯等の体に密着する内側の相当箇所に凹凸又は突起のある板を取り付けた考案が記載されている。これにより装着者は人為的に指圧しなくても日常的な作業や動作等の動きで自然にツボの指圧が行われるとされるが、実際には使用感の悪さや位置定めの困難さなどから未だに普及しているとはいえない状況にある。【０００９】そこで前述のような背景技術の基になる知見を更に追求すると、腰痛と関係のある寛骨筋が痛むとき腰椎４番５番付近が痛く感じる理由は、それらの筋が上殿神経支配であり、仙骨神経叢の一部であり、骨盤孔から梨状筋上孔を経て腸骨外側を腸骨稜に向かって上方に伸びている神経であるからである。この神経は、人が４本足のままであれば骨盤が水平となっているために、上方から下方に向かって走行しているのであるが、人は進化して２本足で立ち上がったため骨盤が起き上がり、水平の状態から立ち上がった状態に変わったために、上殿神経は骨盤とともに起き上がり、本来、上（近位）から下（遠位）にその情報が伝わるようになったまま残ってしまったからであると言われている。【００１０】寛骨筋の痛みの情報は、上殿神経により伝達されるため、一度近位から遠位に情報が伝わり、仙骨神経叢を経て腰椎４番５番に入り、そこから情報は脳へ向かって伝達されてくる。脳では遠位から近位に伝わる情報は簡単に解析できるが、近位から遠位へ伝わる上殿神経の情報はうまく解析できない。そのためそのような情報は、あいまいなまま背骨に入って脳へ向かって上行して伝達されるため、脳では上殿神経からの情報は上殿神経の背骨への入口付近と錯覚するのである。つまり寛骨筋の痛みの情報は、腰椎４番５番近辺の痛みとして錯覚して捕らえてしまうのである。こうした理由により、寛骨筋の痛みを緩和すれば腰椎４番５番近辺の錯覚による痛みは緩和されると考えられる。【００１１】本考案はこのような知見に基づき、腰部のしかるべき所定の部位に困難さを伴うことなく自然に圧力が加えられて、「気」を整え治癒力を高めるなど総合的に腰痛対策につながるような新規の腰痛用ベルトを提供することを課題とする。
【課題を解決するための手段】
【００１２】図１に示すような腰部に装着するベルト類１において、装着時背部に該当する箇所Ａを袋状にし、その中にボール体２を収納して本考案の腰痛用ベルトとする。【００１３】その際のボール体２の数は３個、或いは図２のように６個など複数にすることが望ましく、それらは互いに若干の動きが可能であってもよい。【００１４】これにより腰部に装着するベルトの寛骨筋対応位置、仙骨対応位置、もしくは経穴の腰痛の特効穴の少なくとも何れかの位置にボール体が当たるようにできる。【００１５】また上記の寛骨筋対応位置は、大殿筋、中殿筋、小殿筋、上・下双子筋、内・外閉鎖筋、もしくは大腿方形筋の少なくとも何れかに対応する位置でもある。【００１６】本考案に使用されるベルト類１もしくはボール体２は、少なくとも部分的に、生体活性促進性材料で形成されていることが好ましい。ここで言う生体活性促進性材料とは、少なくとも普通以上に生体を活性させる作用があると学理的に説明でき、多くの体験実例を有するようなものを指し、例えば遠赤外線（テラヘルツ波）輻射性材料、ベータ線放出性（ホルミシス）材料、アロマ（香り）ないしフィトンチッド材料などが該当する。【００１７】またベルト類１の内側適宜箇所に、上記の生体活性促進性材料を収容できるポケット３を設けても良い。そこに収める生体活性促進性材料は、それが逸脱することなく出し入れ容易であるようにシート状、或いは薄袋状に形成されていることが好ましい。これらが癒しなどメンタル面で好影響を与えて鎮痛や血行促進につながるという好循環作用も期待される。【００１８】なお、ベルト類１の両横端にそれを通常のベルト同様に係止するための係止手段を配設するものとする。好ましいのは図に示したような面状ファスナー（マジックテープ）４である。
【考案の効果】
【００１９】本考案の腰痛用ベルトによれば、装着することにより前記のような腰痛原因の肝心な部位の少なくとも何れかの位置をソフトに押圧することができるから、違和感なく長時間継続的に自力で腰痛緩和策を実行できる効果がある。
【考案を実施するための形態】
【００２０】図１及び図２は本考案にかかる実施形態の腰痛用ベルトであり、ベルト類１のベースシートは伸縮性の少ない二重構造の布地で、幅約１０ｃｍ、全長６０〜１３０ｃｍ程度とする。その周辺部を縫い合わせるとともに、中央部において約９ｃｍ間隔で４箇所縦に縫い合わせて３箇所を袋状にし、その中に直径約６ｃｍの低発泡弾性のボール体２を予め収納する。
【００２１】該ベースシートの両端部の例えば表側に面状ファスナー４の雌面を、裏側に雄面を縫い付け、これをもって係止手段とする。
【００２２】必要に応じ該ベースシートの裏側要所に布地を上方解放状に縫い付けてポケット３とし、温熱シートや香りシートなどを任意に出し入れできるようにする。
【００２３】なお、ボール体１の数を６個としたときの形態例を図６に示す。但し本考案はかかる例に限定されるものではない。
【産業上の利用可能性】
【００２４】本考案の腰痛用ベルトは使用感が良好でニーズが高く、量産も容易であるから、産業上の利用可能性は十分にある。
【図面の簡単な説明】
【００２５】
【図１】本考案一例の正面図
【図２】本考案一例の断面図
【図３】本考案別例の正面図
【符号の説明】
【００２６】  １……ベルト類
２……ボール体
３……ポケット
４……面状ファスナー
Ａ……装着時背部に該当する箇所
【図１】
0003211979.tif 000003
【図２】
0003211979.tif 000004
【図３】
0003211979.tif 000005